(57)【特許請求の範囲】
【請求項１】
前面に保護鏡が設置され、作業者の顔面の屈曲に対応して設けられた本体と、
前記本体の前面一側にヒンジ結合されるカバーと、
フィルムが巻き取られた円筒状のフィルム繰出ロールと、
前記本体の内部に突設された固定係止部、該固定係止部に反対側への移動ができるように結合される移動係止部、および該移動係止部を付勢する弾性ばねを含み、前記フィルム繰出ロールを本体の一側に垂直に回転可能に固定させるフィルム繰出ロール固定部と、
前記フィルム繰出ロールからフィルムが巻き取られるように前記本体の他側に垂直に設置されたフィルム巻取軸と、
前記フィルム巻取軸に噛み合い、本体にヒンジ結合されるフィルム移送レバーと、
前記フィルム移送レバーの逆転を防止するためのラチェット手段と、
前記本体の両側端に結合され、前記本体を作業者の顔面に固定させる弾性固定部材と、
前記本体の後面部と作業者の目部位とが一定の距離だけ離隔するよう前記本体を顔面に密着させるために、前記本体の後面に結合されるシリコン材料の顔面接続部材と、を含んでなり、
前記フィルム移送レバーは、前記フィルム巻取軸に隣接して設置される回転軸と、前記回転軸の端部に設置される駆動歯車と、前記フィルム巻取軸に結合され、前記駆動歯車に噛み合う従動歯車と、前記回転軸から伸びて外側に突出した取っ手を含み、
前記回転軸は本体にねじりコイルばねを介して設置され、
前記ねじりコイルばねは、一端が本体に固定され、他端は回転軸に固定される形で設置され、
一定の距離だけフィルムを移動させてから前記取っ手を放すと、フィルム移送レバーが自動的に原位置に復帰するようになり、
前記ラチェット手段は、ラチェットポールと、前記ラチェットポールを一方に押すばねと、前記ラチェットを固定するラチェットカバーとを含んでなり、
前記駆動歯車には前記ラチェットポールと接触するラチェットホイールが設けられている、
ことを特徴とする、産業用ゴーグル。
【請求項２】
前記顔面接続部材は山と谷の連なる折曲予定部が設けられたことを特徴とする、請求項１に記載の産業用ゴーグル。
【発明の詳細な説明】
【技術分野】
【０００１】
本発明は、産業用ゴーグルに係り、さらに詳しくは、ゴーグルの保護鏡をフィルム部材で保護することができ、該フィルム部材の汚染の際に迅速に取り替えることが可能な産業用ゴーグルに関する。
【背景技術】
【０００２】
産業用ゴーグルは、塗装作業、サンディング作業および溶接作業の際に作業者の顔面に密着するように着用し、作業者の目を保護するものである 。
【０００３】
このような産業用ゴーグルは、一般に、前面部に保護鏡が配置され、弾性バンドによって頭部に固定し、レジャー活動用ゴーグルとは異なり防護頭巾と結合される形で多く使用される。
このような産業用ゴーグルは、特許文献１（産業用ゴーグルおよび該ゴーグルが取り付けられた防保頭巾）、特許文献２などに開示されている。
【０００４】
この種の産業用ゴーグルは、保護鏡が汚染した場合、作業者がそれを拭かなければならず、特にその汚染の程度が激しければ作業者の視野確保が容易ではないので、新しい保護鏡で取り替えるか、ゴーグルを取り替えなければならないという問題点があった。
【０００５】
かかる問題点を解決するために、先行技術では、フィルム部材を、一側から他側へ移動する保護鏡の前面に配置し、それを移動させて保護鏡を保護する方式を利用したりもした。
【０００６】
ところが、このような産業用ゴーグルは、電動装置の使用が頻繁な故障の原因となり、作業者が所望の移動距離だけ移動させることが難しくてフィルムを頻繁に取り替えなければならないという問題点がある。
【先行技術文献】
【特許文献】
【０００７】
【特許文献１】韓国特許出願第１０−２００６−００２６２１４号明細書
【特許文献２】韓国特許出願第１０−２００５−００９３６８２号明細書
【発明の概要】
【発明が解決しようとする課題】
【０００８】
そこで、本発明の目的は、保護鏡の前面に配置されて保護鏡を保護するフィルム部材が汚染した場合、作業者が所望の移動距離だけ迅速に移動させることが可能な産業用ゴーグルを提供することにある。
本発明の他の目的は、簡易な構造によってフィルムを移動させることが可能な産業用ゴーグルを提供することにある。
【課題を解決するための手段】
【０００９】
本発明に係る産業用ゴーグルは、前面に保護鏡が設置され、作業者の顔面の屈曲に対応して設けられた本体と、前記本体の前面一側にヒンジ結合されるカバーと、フィルムが巻き取られた円筒状のフィルム繰出ロールと、前記本体の内部に突設された固定係止部、該固定係止部に反対側への移動ができるように係合される移動係止部、および該移動係止部を付勢する弾性ばねを含み、前記フィルム繰出ロールを本体の一側に垂直に回転可能に固定させるフィルム繰出ロール固定部と、前記フィルム繰出ロールからフィルムが巻き取られるように前記本体の他側に垂直に設置されたフィルム巻取軸と、前記フィルム巻取軸に噛み合い、本体にヒンジ結合されるフィルム移送レバーと、前記フィルム移送レバーの逆転を防止するためのラチェット手段と、前記本体の両側端に結合され、前記本体を作業者の顔面に固定させる弾性固定部材とを含んでなることを特徴とする。
【００１０】
ここで、前記フィルム移送レバーは、前記フィルム巻取軸に隣接して設置される回転軸と、前記回転軸の端部に設置される駆動歯車と、前記フィルム巻取軸に結合され、前記駆動歯車に噛み合う従動歯車と、前記回転軸から伸びて外側に突出した取っ手とを含んでなることを特徴とする。
また、前記回転軸は本体にねじりコイルばねを介して設置されることを特徴とする。
【００１１】
また、前記本体の後面には本体を顔面に密着させるためにシリコン材料の顔面接続部材が結合され、前記顔面接続部材は山と谷の連なる折曲予定部が設けられたことを特徴とする。
【発明の効果】
【００１２】
本発明に係る産業用ゴーグルは、フィルム移送レバーを介してフィルムを作業者の所望の長さだけ移動させることができるため、作業者の鮮明な視野の確保が可能であって作業の能率が向上するうえ、保護鏡の取替によるゴーグル取替費用が節減されるという利点がある。
また、本発明に係る産業用ゴーグルは、シリコン材質の顔面密着部材を介して着用感を向上させることができるという利点がある。
【図面の簡単な説明】
【００１３】
【図１】図１は本発明の好適な一実施例に係る産業用ゴーグルを示す斜視図である。
【図２】図２は図１の変化図である。
【図３】図３は本発明の好適な一実施例に係る産業用ゴーグルを示す分解斜視図である。
【図４】図４は本発明の好適な他の実施例に係る産業用ゴーグルを示す分解斜視図である。
【図５】図５は図４の平面図である。
【発明を実施するための形態】
【００１４】
以下に添付図面を参照しながら、本発明の好適な一実施例を詳細に説明する。
図１は本発明の好適な一実施例に係る産業用ゴーグルを示す斜視図である。
【００１５】
図１に示すように、本発明に係る産業用ゴーグルは、前面に保護鏡が設置され、作業者の顔面の屈曲に対応して設けられた本体１００を基本的な骨格とし、前記本体１００の後面には顔面接続部材７００が結合されて顔面に密着するようにし、前記本体の前面一側にはカバー５００がヒンジ結合される。
【００１６】
ここで、前記本体１００は、作業者の目部位を全体的に覆うように設けられ、前記顔面接続部材７００を介して作業者の目部位と本体の後面部とが一定の距離だけ離隔するようにする。
【００１７】
前記本体１００の両側端に、前記本体１００を作業者の顔面に固定させる弾性固定部材６００が結合される。前記弾性固定部材６００は、ゴムバンドの形であって、前記本体１００の両側端に設けられた係合部に係合され、作業者の頭部に対応する長さを有する。
【００１８】
図１に示すように、カバー５００に設けられたサングラス形状の開口部５１０を介してフィルム３００が外部に露出し、保護鏡はフィルム３００の内側に位置する。
図２は図１の変化図である。
【００１９】
図２に示すように、本発明に係る産業用ゴーグルは、カバー５００を開閉すると、フィルム３００の巻かれた円筒形のフィルム繰出ロール４１５を本体１００の一側に固定させることができる。
【００２０】
前記フィルム繰出ロール４１５はフィルム繰出ロール固定部を介して本体の一側に垂直に回転可能に固定される。前記フィルム繰出ロール固定部は、前記本体の内部に突設された固定係止部１０２と、前記固定係止部１０２に反対側への移動ができるように嵌合される移動係止部１０４と、前記移動係止部１０４を付勢する弾性ばね１０６とを含む。
また、前記移動係止部１０４と前記弾性ばね１０６は係止部カバー１０８によって本体に内蔵される。
【００２１】
前記フィルム繰出ロール４１５からフィルムが繰り出され、前記本体の他側に垂直に設置されたフィルム巻取軸４２５に巻き取られるようになる。本体１００の前面に設置された保護鏡２００がフィルム３００を介して外部に露出せずに保護される。特に、前記フィルム繰出ロール４１５は、消耗品として製作され、フィルムが全て消耗されると、他のフィルム繰出ロールで迅速に取り替えることができる。
【００２２】
前記保護鏡２００は、保護鏡固定部によって固定され、透明な素材のプラスチック、特に軽くて加工性に優れたアクリルで形成されることが好ましい。前記保護鏡２００も、長時間の使用により汚染した場合に取り替えることができるように製作されることが好ましい。
図３は本発明の好適な一実施例に係る産業用ゴーグルを示す分解斜視図である。
【００２３】
前記フィルム巻取軸４２５も、前記フィルム繰出ロール４１５と同様に、固定係止部１０２と移動係止部を介して本体に設置され、フィルム巻取軸４２５が固定される移動係止部は従動歯車４５６が設けられている。
次に、フィルム移送レバーについて考察する。
フィルム移送レバー４５０は、フィルム巻取軸４２５に噛み合い、本体にはヒンジ結合される。
【００２４】
具体的に、前記フィルム移送レバー４５０は、フィルム巻取軸４２５に隣接して設置される回転軸４５２と、前記回転軸４５２の端部に設置される駆動歯車４５４と、前記フィルム巻取軸４２５に結合され、前記駆動歯車４５４に噛み合う従動歯車４５６と、前記回転軸４５２から伸びて外側に突出した取っ手４５８とを含んでなる。
【００２５】
よって、作業者が突出した取っ手４５６を回転させると、駆動歯車４５４によって従動歯車４５６が回転しながらフィルム巻取軸４２５を回転させてフィルムが移動する。
前記フィルム移送レバー４５０の逆転を防止するためのラチェット手段がさらに設置される。
【００２６】
前記ラチェット手段は、取っ手４５８を介してフィルム移送レバーが原位置に復帰するとき、フィルム巻取軸４２５が回転しないようにする。前記ラチェット手段は、ラチェットポール４７０(ratchet pawl)、前記ラチェットポールを一方に押すばね４７３、および前記ラチェットを固定するラチェットカバー４７２を含んでなり、前記ラチェットポールが接触するラチェットホイール４５４ａ(ratchet wheel)は駆動歯車４５４に設けられる。
【００２７】
ここで、前記フィルム移送レバー４５０の回転軸４５２は本体１００にねじりコイルばね４６０によって設置できる。よって、作業者が一定の距離だけフィルムを移動させてから取っ手４５８を放すと、フィルム移送レバーが自動的に原位置に復帰する。前記ラチェット手段のため、フィルム巻取軸は逆回転しない。前記ねじりコイルばね４６０は、一端が本体に固定され、他端は回転軸に固定される形で設置される。
【００２８】
さらに、前記駆動歯車４５４と前記従動歯車４５６との間にはアイドル歯車４５３が設置される。このアイドル歯車はフィルム移送レバーの回転角度とフィルムの移動速度を調節することができるようにする。
次に、本発明の他の実施例について考察する。
図４は本発明の好適な他の一実施例に係る産業用ゴーグルを示す分解斜視図、図５は図４の平面図である。
【００２９】
図４に示すように、本体１００の後面にはシリコン材質の顔面接続部材７００が結合されて本体が顔面に密着するようにする。密着性を高めるために、前記顔面接続部材７００には山と谷の連なる折曲予定部７１０が設けられる。
前記折曲予定部７１０は、波形が連続する形になっており、図５に示した矢印方向に圧縮すればさらに弾性的に圧縮できる。
【００３０】
上述したように、本発明は汚染したフィルムを簡便に移動させることが可能な産業用ゴーグルを提供することを主要技術的思想としている。なお、図面を参考して上述した実施例は一実施例に過ぎないので、本発明の真正な範囲は特許請求の範囲によって定められるべきである。
【符号の説明】
【００３１】
１００    本体
１０２    固定係止部
１０４    移動係止部
１０６    ばね
１５０    上部ブラケット    
２００    保護鏡
３００    フィルム
４１５    フィルム繰出ロール
４２５    フィルム巻取軸
４２４    弾性ばね
４５０    フィルム移送レバー
４５２    回転軸
４５４    駆動歯車
４５６    従動歯車
４５８    取っ手
４６０    ねじりコイルばね
４７０    ラチェットポール
４７２    ラチェットカバー
４７３    ばね
５００    カバー
６００    弾性固定部材
７００    顔面接続部材
７１０    折曲予定部
【図１】
0005519621.tif 000002
【図２】
0005519621.tif 000003
【図３】
0005519621.tif 000004
【図４】
0005519621.tif 000005
【図５】
0005519621.tif 000006